(57)【要約】【課題】天井下地構造の野縁受けに不要な外力が加わることがあっても、ハンガーの野縁受けを保持する保持部が開くような状態に変形することを防止できる、より簡易な構造の取付け補強具等を提供する。【解決手段】取付け補強具は、ハンガーの吊下げ部の保持部とは反対側の部位に向き合う第１本体部と、第１本体部の左右両側に連続して設けられて吊下げ部の部位を挟んで両側に存在する野縁受けの一部の縦面部に向き合う２つの第２本体部と、２つの第２本体部の上端に連続して設けられて野縁受けの一部の上面部を覆う２つの覆い部と、第１本体部にその第１本体部を吊下げ部の部位に固定するネジを通すよう設けられる第１孔と、２つの第２本体部にその各第２本体部を野縁受けの一部の縦面部にそれぞれ固定するネジを通すよう設けられる第２孔と、２つの覆い部にその各覆い部を野縁受けの一部の上面部にそれぞれ固定するネジを通すよう設けられる第３孔とを備える。【選択図】図２
2017110372.tif 000002
【特許請求の範囲】
【請求項１】
吊りボルトに取り付けられる吊下げ部とその吊下げ部の下方側で一方に突出した後に吊下げ部の途中の高さまで立ち上がって吊下げ部の一部と凹状の保持空間を形成する保持部とを有するハンガーと、前記ハンガーの保持部の保持空間に嵌め入れて保持される野縁受けとが交差する部分を挟んだ状態で取り付けられる取付け補強具であって、
前記ハンガーの吊下げ部の保持部とは反対側の部位に向き合う第１本体部と、
前記第１本体部の左右両側に連続して設けられて前記吊下げ部の部位を挟んで両側に存在する前記野縁受けの一部の縦面部にそれぞれ向き合う２つの第２本体部と、
前記２つの第２本体部の上端に連続して設けられて前記野縁受けの一部の上面部をそれぞれ覆う２つの覆い部と、
前記第１本体部にその第１本体部を前記吊下げ部の部位に固定するネジを通すよう設けられる第１孔と、
前記２つの第２本体部にその各第２本体部を前記野縁受けの一部の縦面部にそれぞれ固定するネジを通すよう設けられる第２孔と、
前記２つの覆い部にその各覆い部を前記野縁受けの一部の上面部にそれぞれ固定するネジを通すよう設けられる第３孔と、
を備えていることを特徴とする取付け補強具。
【請求項２】
前記２つの覆い部の終端に連続して設けられて前記野縁受けの一部のうち前記２つの第２本体部と向き合う上角部とは反対側に存在する上角部にそれぞれ向き合う垂下部を備えている請求項１に記載の取付け補強具。
【請求項３】
前記２つの覆い部の一方は、取付け補強具の取り付け前には前記第２本体部と同一の平面をなすよう展開された状態で形成されており、取付け補強具の取り付け時の途中で折り曲げて前記野縁受けの一部の上面部と向き合う状態にして使用される請求項１又は２に記載の取付け補強具。
【請求項４】
前記折り曲げて使用される覆い部とその覆い部と連続する前記一方の第２本体部との境になる第１境界部分に、前記覆い部を折り曲げるときの折り曲げ線を含む部位を折り曲げ線に沿って細長く切除した第１長孔を設けている請求項３に記載の取付け補強具。
【請求項５】
前記折り曲げて使用される覆い部に前記垂下部を設け、
前記折り曲げて使用される覆い部と前記垂下部との境になる第２境界部分に、前記垂下部を折り曲げるときの折り曲げ線を含む部位を折り曲げ線に沿って細長く切除した第２長孔を設け、
前記第１長孔の長手方向の両端側に残される前記第１境界部分の幅を、前記第２長孔の長手方向の両端側に残される前記第２境界部分の幅よりも狭い寸法に設定している請求項４に記載の取付け補強具。
【請求項６】
前記折り曲げて使用される覆い部の前記第１長孔と前記第２長孔との間に挟まれた部位のうち両長孔の長手方向の中央になる部分を、両長孔の幅を相対的に狭くして面積を拡大させた拡大部位として形成しており、前記拡大部位の中央部に前記第３孔を設けている請求項５に記載の取付け補強具。
【請求項７】
前記２つの第２本体部の少なくとも一方を前記野縁受けの一部から更にその野縁受けの長手方向に延長して設けられる延長第２本体部として構成し、その延長第２本体部の前記覆い部の上面を足場板が載せられる足場板乗せ部として構成している請求項１乃至６のいずれかに記載の取付け補強具。
【請求項８】
吊りボルトに取り付けられる吊下げ部とその吊下げ部の下方側で一方に突出した後に吊下げ部の途中の高さまで立ち上がって吊下げ部の一部と凹状の保持空間を形成する保持部とを有するハンガーと、前記ハンガーの保持部の保持空間に嵌め入れて保持される野縁受けとを用いて構成される天井下地構造において、
請求項１乃至７のいずれかに記載の取付け補強具が前記ハンガーと前記野縁受けとが交差する部分を挟んだ状態で取り付けられ、
その取付け補強具と前記ハンガーの吊下げ部の部位、前記野縁受けの一部の縦面部及び上面部との間が前記第１孔、第２孔及び第３孔を通すネジによりそれぞれ固定されていることを特徴とする天井下地構造。
【請求項９】
吊りボルトに取り付けられる吊下げ部とその吊下げ部の下方側で一方に突出した後に吊下げ部の途中の高さまで立ち上がって吊下げ部の一部と凹状の保持空間を形成する保持部とを有するハンガーと、前記ハンガーの保持部の保持空間に嵌め入れて保持される野縁受けとを用いて構成される天井下地構造において、
請求項７に記載の取付け補強具が前記ハンガーと前記野縁受けとが交差する部分を挟んだ状態で取り付けられ、
その取付け補強具と前記ハンガーの吊下げ部の部位、前記野縁受けの一部の縦面部及び上面部との間が前記第１孔、第２孔及び第３孔を通すネジによりそれぞれ固定され、
その取付け補強具の前記足場板乗せ部に足場板が載せられてその足場板を利用した作業環境が形成されていることを特徴とする天井下地構造。
【請求項１０】
吊りボルトに取り付けられる吊下げ部とその吊下げ部の下方側で一方に突出した後に吊下げ部の途中の高さまで立ち上がって吊下げ部の一部と凹状の保持空間を形成する保持部とを有するハンガーと、前記ハンガーの保持部の保持空間に嵌め入れて保持される野縁受けとを用いて構成される天井下地を施工する過程及びその施工後において、
請求項７に記載の取付け補強具を前記ハンガーと前記野縁受けとが交差する部分を挟んだ状態で取り付けた後、その取付け補強具と前記ハンガーの吊下げ部の部位、前記野縁受けの一部の縦面部及び上面部との間を前記第１孔、第２孔及び第３孔を通すネジによりそれぞれ固定する工程と、
その取付け補強具の前記足場板乗せ部に足場板を載せてその足場板を利用した作業環境を形成する工程と、
前記足場板を利用した作業が終了した後に前記足場板及び取付け補強具を取り外す工程と
を有することを特徴とする天井下地施工方法。
【発明の詳細な説明】
【技術分野】
【０００１】
この発明は、取付け補強具並びにその補強具を用いた天井下地構造及び天井下地施工方法に関するものである。
【背景技術】
【０００２】
従来、図１２に例示されるような天井下地構造においては、ハンガー１０５から野縁受け１０６が脱落する等の不具合が発生する場合があることが知られている。
すなわち、天井下地構造においては、地震等が発生した場合、地震等による揺れで天井材１２０が壁等に衝突し、その衝突により発生した衝撃力等の外力が野縁受け１０６にも伝わることで野縁受け１０６が変動することがある。この場合、その外力（Ｆ１）が加わって変動する野縁受け１０６により、図１３に例示するように吊りボルト１０４に取り付けられたハンガー１０５の野縁受け１０６を保持する保持部１５５の立上げ部１５７がハンガー１０５の吊下げ部１５１から離れる方向（矢印Ｋで示す方向）に倒れて開くような状態に変形してしまい、この結果、野縁受け１０６がハンガー１０５の保持部１５５に正常に保持されなくなり、最悪の場合は野縁受け１０６がハンガーの保持部１５５から外れて脱落することがある。
【０００３】
これに対し、従来においても、このような野縁受けのハンガーからの脱落等を防止するための種々の提案がされている。
【０００４】
例えば、天井下地構造におけるハンガーと野縁受けとの間の連結を補強する連結補強具として、その野縁受けの両側に覆い被さる固定部と、その各固定部からハンガーにおける一対の縦部に至るまで延びその各縦部を野縁受け外側から挟み込む挟み込み部とを備え、その野縁受けに対し固定可能とした連結補強具や、その連結補強具を用いた天井下地補強施工方法が提案されている（特許文献１）。
【０００５】
また、吊りボルトに取り付けられたハンガーの野縁受け保持部に保持された野縁受けの脱落を防止する脱落防止具として、その野縁受け保持部が、下方に延長する吊部と、吊部の下端より横方向に延長する底部と、底部の先端より立ち上がって吊部の下部と対向する立上部とにより形成され、その脱落防止具が、吊部の外面を覆う縦部と、縦部の上端より延長して野縁受け保持部に保持された野縁受けの上面を覆う上覆部と、縦部の下縁より野縁受けを保持した野縁受け保持部の底部の外面に沿って横方向に延長して底部の外面に係止する係止部とを備え、上覆部あるいは縦部のうちの少なくとも一方が止ねじにより野縁受けにねじ止めされている野縁受け脱落防止具が提案されている（特許文献２）。
【先行技術文献】
【特許文献】
【０００６】
【特許文献１】特許第４６６３４３８号公報
【特許文献２】特開２００７−１７７４００号公報
【発明の概要】
【発明が解決しようとする課題】
【０００７】
しかしながら、近年においては、例えば天井下地の施工の際、野縁受けの上面に足場板を載せて設置したうえで、その足場板を利用して関連設備の施工作業を行うことが増えてきている。このため、天井下地の施工途中（施工後もある）においても野縁受けに対して足場板から不要な外力が加わることがあり、これにより前述したようなハンガーの野縁受けを保持する保持部が開くような状態に変形することが起こりやすくなり、その結果として、野縁受けの脱落等の不具合が発生する可能性が高まっている。
また、上記足場板を利用した関連設備の施工作業が行われる場合、その作業者が誤って足場板でなく野縁受けに足等を載せてしまうこともある。この場合は、野縁受けに想定外の大きな外力が加わることとなるので、その野縁受けの脱落等の不具合がさらに発生しやすくなる傾向にある。
【０００８】
この発明は、このような事情に鑑みてなされたものであり、その目的とするところは、天井下地構造における野縁受けに不要な外力が加わることがあっても、ハンガーの野縁受けを保持する保持部が開くような状態に変形することを防止できる、より簡易な構造の取付け補強具を提供することと、その取付け補強具を用いた安定した天井下地構造や天井下地施工方法を提供することにある。
また、この発明の他の目的は、野縁受けの上に足場板を載せて関連設備の施工作業を行うことがあっても、ハンガーの野縁受けを保持する保持部が開くような状態に変形することも確実に防止できる、より簡易な構造の取付け補強具を提供することや、その取付け補強具を用いたより一層安定した天井下地構造や天井下地施工方法を提供することにある。
【課題を解決するための手段】
【０００９】
この発明（Ａ１）の取付け補強具は、
吊りボルトに取り付けられる吊下げ部とその吊下げ部の下方側で一方に突出した後に吊下げ部の途中の高さまで立ち上がって吊下げ部の一部と凹状の保持空間を形成する保持部とを有するハンガーと、前記ハンガーの保持部の保持空間に嵌め入れて保持される野縁受けとが交差する部分を挟んだ状態で取り付けられる取付け補強具であって、
前記ハンガーの吊下げ部の保持部とは反対側の部位に向き合う第１本体部と、
前記第１本体部の左右両側に連続して設けられて前記吊下げ部の部位を挟んで両側に存在する前記野縁受けの一部の縦面部にそれぞれ向き合う２つの第２本体部と、
前記２つの第２本体部の上端に連続して設けられて前記野縁受けの一部の上面部をそれぞれ覆う２つの覆い部と、
前記第１本体部にその第１本体部を前記吊下げ部の部位に固定するネジを通すよう設けられる第１孔と、
前記２つの第２本体部にその各第２本体部を前記野縁受けの一部の縦面部にそれぞれ固定するネジを通すよう設けられる第２孔と、
前記２つの覆い部にその各覆い部を前記野縁受けの一部の上面部にそれぞれ固定するネジを通すよう設けられる第３孔と、
を備えていることを特徴とするものである。
【００１０】
この発明（Ａ２）の取付け補強具は、上記発明Ａ１の取付け補強具において、前記２つの覆い部の終端に連続して設けられて前記野縁受けの一部のうち前記２つの第２本体部と向き合う上角部とは反対側に存在する上角部にそれぞれ向き合う垂下部を備えているものである。
【００１１】
この発明（Ａ３）の取付け補強具は、上記発明Ａ１又はＡ２の取付け補強具において、前記２つの覆い部の一方は、取付け補強具の取り付け前には前記第２本体部と同一の平面をなすよう展開された状態で形成されており、取付け補強具の取り付け時の途中で折り曲げて前記野縁受けの一部の上面部と向き合う状態にして使用されるものである。
この発明（Ａ４）の取付け補強具は、上記発明Ａ３の取付け補強具において、前記折り曲げて使用される覆い部とその覆い部と連続する前記一方の第２本体部との境になる第１境界部分に、前記覆い部を折り曲げるときの折り曲げ線を含む部位を折り曲げ線に沿って細長く切除した第１長孔を設けているものである。
この発明（Ａ５）の取付け補強具は、上記発明Ａ４の取付け補強具において、前記折り曲げて使用される覆い部に前記垂下部を設け、前記折り曲げて使用される覆い部と前記垂下部との境になる第２境界部分に、前記垂下部を折り曲げるときの折り曲げ線を含む部位を折り曲げ線に沿って細長く切除した第２長孔を設け、前記第１長孔の長手方向の両端側に残される前記第１境界部分の幅を、前記第２長孔の長手方向の両端側に残される前記第２境界部分の幅よりも狭い寸法に設定しているものである。
この発明（Ａ６）の取付け補強具は、上記発明Ａ５の取付け補強具において、前記折り曲げて使用される覆い部の前記第１長孔と前記第２長孔との間に挟まれた部位のうち両長孔の長手方向の中央になる部分を、両長孔の幅を相対的に狭くして面積を拡大させた拡大部位として形成しており、前記拡大部位の中央部に前記第３孔を設けているものである。
【００１２】
この発明（Ａ７）の取付け補強具は、上記発明Ａ１からＡ６のいずれかの取付け補強具において、前記２つの第２本体部の少なくとも一方を前記野縁受けの一部から更にその野縁受けの長手方向に延長して設けられる延長第２本体部として構成し、その延長第２本体部の前記覆い部の上面を足場板が載せられる足場板乗せ部として構成しているものである。
【００１３】
また、この発明（Ｂ１）の天井下地構造は、
吊りボルトに取り付けられる吊下げ部とその吊下げ部の下方側で一方に突出した後に吊下げ部の途中の高さまで立ち上がって吊下げ部の一部と凹状の保持空間を形成する保持部とを有するハンガーと、前記ハンガーの保持部の保持空間に嵌め入れて保持される野縁受けとを用いて構成される天井下地構造において、
上記発明Ａ１からＡ７のいずれかの取付け補強具が前記ハンガーと前記野縁受けとが交差する部分を挟んだ状態で取り付けられ、
その取付け補強具と前記ハンガーの吊下げ部の部位、前記野縁受けの一部の縦面部及び上面部との間が前記第１孔、第２孔及び第３孔を通すネジによりそれぞれ固定されていることを特徴とするものである。
【００１４】
また、この発明（Ｂ２）の天井下地構造は、
吊りボルトに取り付けられる吊下げ部とその吊下げ部の下方側で一方に突出した後に吊下げ部の途中の高さまで立ち上がって吊下げ部の一部と凹状の保持空間を形成する保持部とを有するハンガーと、前記ハンガーの保持部の保持空間に嵌め入れて保持される野縁受けとを用いて構成される天井下地構造において、
上記発明Ａ７の取付け補強具が前記ハンガーと前記野縁受けとが交差する部分を挟んだ状態で取り付けられ、
その取付け補強具と前記ハンガーの吊下げ部の部位、前記野縁受けの一部の縦面部及び上面部との間が前記第１孔、第２孔及び第３孔を通すネジによりそれぞれ固定され、
その取付け補強具の前記足場板乗せ部に足場板が載せられてその足場板を利用した作業環境が形成されていることを特徴とするものである。
【００１５】
さらに、この発明（Ｃ１）の天井下地施工方法は、
吊りボルトに取り付けられる吊下げ部とその吊下げ部の下方側で一方に突出した後に吊下げ部の途中の高さまで立ち上がって吊下げ部の一部と凹状の保持空間を形成する保持部とを有するハンガーと、前記ハンガーの保持部の保持空間に嵌め入れて保持される野縁受けとを用いて構成される天井下地を施工する過程及びその施工後に関する方法であって、
上記発明Ａ７の取付け補強具を前記ハンガーと前記野縁受けとが交差する部分を挟んだ状態で取り付けた後、その取付け補強具と前記ハンガーの吊下げ部の部位、前記野縁受けの一部の縦面部及び上面部との間を前記第１孔、第２孔及び第３孔を通すネジによりそれぞれ固定する工程と、
その取付け補強具の前記足場板乗せ部に足場板を載せてその足場板を利用した作業環境を形成する工程と、
前記足場板を利用した作業が終了した後に前記足場板及び取付け補強具を取り外す工程と
を有することを特徴とするものである。
【発明の効果】
【００１６】
上記発明Ａ１の取付け補強具によれば、天井下地構造における野縁受けに不要な外力が加わることがあっても、ハンガーの野縁受けを保持する保持部が開くような状態に変形することを防止できる、より簡易な構造の取付け補強具が提供できる。
【００１７】
上記発明Ａ２の取付け補強具では、野縁受けに不要な外力が加わっても野縁受けの変動の発生をより確実に抑制することができ、上記発明Ａ１による効果を的確に得ることができる。
【００１８】
上記発明Ａ３の取付け補強具では、ハンガーの吊下げ部と吊りボルトの間の隙間が狭い場合であっても、取付け補強具の取り付け作業を容易にかつ効率良く行うことができる。
上記発明Ａ４の取付け補強具では、折り曲げて使用される覆い部の折り曲げ作業を容易かつ正確に行うことができる。
上記発明Ａ５の取付け補強具では、折り曲げて使用される覆い部の折り曲げ作業をその覆い部における垂下部の折り曲げ作業よりも先に確実に行うことができ、取り付け作業の効率化が図れる。
上記発明Ａ６の取付け補強具では、折り曲げて使用される覆い部の両側の境界部分に長孔が存在している場合にもかかわらず、その覆い部と野縁受けの上面部との間のネジによる固定の強度を確保することができる。
【００１９】
上記発明Ａ７の取付け補強具では、足場板乗せ部に乗せた足場板を利用して作業が行われて野縁受けに不要な外力が加わることがあっても、ハンガーの野縁受けを保持する保持部が開くような状態に変形することを防止できる。
【００２０】
上記発明Ｂ１の天井下地構造によれば、簡易な構造の取付け補強具が取り付けられているので、野縁受けに不要な外力が加わることがあっても、ハンガーの野縁受けを保持する保持部が開くような状態に変形することを防止でき、安定した天井下地構造とすることができる。
【００２１】
上記発明Ｂ２の天井下地構造によれば、足場板乗せ部を有する簡易な構造の取付け補強具が取り付けられているので、足場板乗せ部に乗せた足場板を利用して作業を行ったときに野縁受けに不要な外力が加わることがあっても、ハンガーの野縁受けを保持する保持部が開くような状態に変形することを防止でき、より一層安定した天井下地構造とすることができる。
【００２２】
上記発明Ｃ１の天井下地施工方法によれば、足場板乗せ部を有する簡易な構造の取付け補強具を取り付けることにより、足場板を利用した作業を必要なときに容易に行うことができる。また、この天井下地施工方法によれば、その足場板乗せ部に乗せた足場板を利用して作業を行ったときに野縁受けに不要な外力が加わることがあっても、ハンガーの野縁受けを保持する保持部が開くような状態に変形することを防止でき、その結果、足場板を利用して作業を安定して行うことができ、ひいては安定した天井下地施工を行うことができる。
【図面の簡単な説明】
【００２３】
【図１】実施の形態１に係る取付け補強具を適用する天井下地構造の概要を示す要部斜視図である。
【図２】図１の取付け補強具を示し、（ａ）はその取付け補強具の正面側から見たときの斜視図、（ｂ）はその取付け補強具の背面側から見たときの斜視図である。
【図３】図１の天井下地構造におけるハンガーを示し、（ａ）はそのハンガーの斜視図、（ｂ）はそのハンガーの側面説明図である。
【図４】ハンガーに野縁受けを取り付けた状態を示し、（ａ）はその状態を一方向から見たときの斜視図、（ｂ）はその状態を反対方向から見たときの斜視図である。
【図５】ハンガーと野縁受けとが交差する部分に取付け補強具を取り付けたときの状態を示し、（ａ）はその取付け補強具における覆い部等を折り曲げる前の状態を一方向から見たときの斜視図、（ｂ）はその取付け補強具における覆い部等を折り曲げた後の状態を反対方向から見たときの状態を反対方向から見たときの斜視図である。
【図６】図５（ｂ）の取付け補強具等をＱ１−Ｑ１線に沿った位置から見下ろしたときの状態を示す概略平面図である。
【図７】取付け補強具における折り曲げて使用する覆い部及び垂下部を示し、（ａ）はその覆い部及び垂下部を折り曲げる前の状態を示す要部斜視図、（ｂ）はその覆い部及び垂下部を折り曲げたときの状態を示す要部斜視図である。
【図８】（ａ）は取付け補強具における折り曲げて使用する覆い部及び垂下部の構成を示する要部説明図、（ｂ）はその覆い部及び垂下部を折り曲げたときの状態を示す要部平面図である。
【図９】図２の取付け補強具を取り付けた天井下地構造の概要と足場板を載せたときの状態とを示す要部斜視図である。
【図１０】（ａ）は図５（ｂ）の取付け補強具等のＱ２−Ｑ２線に沿う概略断面図、（ｂ）は図５（ｂ）の取付け補強具等のＱ３−Ｑ３線に沿う概略断面図、（ｃ）は図５（ｂ）の取付け補強具等のＱ４−Ｑ４線に沿う概略断面図である。
【図１１】実施の形態２に係る取付け補強具を示し、（ａ）はその取付け補強具の正面側から見たときの斜視図、（ｂ）はその取付け補強具の背面側から見たときの斜視図である。
【図１２】従来の天井下地構造の一例を示す要部斜視図である。
【図１３】従来の天井下地構造におけるハンガーが変形する問題現象を示す概略説明図である。
【発明を実施するための形態】
【００２４】
以下、この発明を実施するための形態（単に「実施の形態」という）について添付の図面を参照しながら説明する。
【００２５】
［実施の形態１］
図１及び図２は、実施の形態１に係る取付け補強具を適用する天井下地構造を示している。図１はその天井下地構造の概要を示し、図２はその取付け補強具を示している。図１等の各図面における符号Ｘ，Ｙ，Ｚの矢印は、各図面において想定した３次元空間の幅、高さ及び奥行の各方向を示す直交座標軸（の方向）である。
【００２６】
＜天井下地構造の基本的な構成＞
この天井下地構造は、図１に示されるように、吊りボルト４に取り付けられるハンガー５と、ハンガー５に保持される野縁受け６と、野縁受け６の下面に取り付けられる野縁７と、ハンガー５と野縁受け６とが交差する部分４０を挟んだ状態で取り付けられる取付け補強具１等を用いて構成されている。このうちハンガー５、野縁受け６、野縁７及び取付け補強具１は、通常、鋼板等の材料を用いて曲げ加工等の方法を適用して製作される。また、この天井下地構造では、最終的に、野縁５の下面に図示しない天井材を取り付けることで天井が完成する。
【００２７】
ハンガー５は、図３、図４等に示されるように、コンクリート製、鉄骨製等の図示しない建物躯体部に固定される吊りボルト４に取り付けられる吊下げ部５１と、その吊下げ部５１の下方側で一方に突出した後に吊下げ部５１の途中の高さまで立ち上がって吊下げ部５１の一部と凹状の保持空間Ｓを形成する保持部５５とを有している。図１等において吊りボルト４は、その上部側部分の図示や外周面におけるネジ山の図示を省略している。
【００２８】
吊下げ部５１は、吊りボルト４を通す通し孔５３が形成された板状の取付け部５２とその取付け部５２の一端から垂下して吊られる板状の吊り部５４とで構成されている。保持部５５は、吊下げ部５１の吊り部５４の下端において一方に突出する板状の底部５６と底部５６の一端から吊り部５４の途中の高さまで立ち上がる板状の立上げ部５７とで構成されており、吊り部５４の一部と底部５６と立上げ部５７とで囲まれて左右の側部が開口した凹状の保持空間Ｓを形成している。また、実施の形態１における保持部５５は、立上げ部５７の上端に、吊り部５４から離れる方向に傾斜して開くよう曲げられ、その下端５８ａの一部が保持空間Ｓに突き出て野縁受け６の上部（上面部６２）に接触し得る状態になることで野縁受け６の抜けを防止する傾斜板状の抜け防止部５８が設けられている。
【００２９】
野縁受け６は、一方向に長く延びる板状の縦面部６１と、縦面部６１の上端及び下端から同じ直角方向にそれぞれ突出するように設けられる板状の上面部６２及び下面部６３とで構成されている。野縁７は、一方向に長く延びる板状の底面部７１と、底面部７１の長手方向における両端部を上方に立ち上げるとともに上端を内側に曲げた形状の板状の左右側面部７２，７３とで構成されている。野縁７としては、例えば、底面部７１の幅が異なる２種類のものを適用することができる。
【００３０】
この天井下地構造は、取付け補強具１の取り付け等の作業工程を除くと、例えば、次の手順で施工される。
まず、ハンガー５が、図１、図３等に示されるように、建物躯体部に所要の間隔をあけて配置された複数本の吊りボルト４に対し、その吊下げ部５１の取り付け部５２を上下のナット４１，４２で上下から挟み込んで固定した状態にすることでそれぞれ取り付けられる。続いて、野縁受け６が、図１、図４等に示されるように、複数のハンガー５における保持部５５の保持空間Ｓに、その縦面部６１が吊り部５４に接触し得る状態で嵌め入れることで保持される。続いて、野縁７が、図１に示されるように、連結部材としての所要のクリップ８を利用して野縁受け６の下面（下面部６３の下面）に取り付けられる。
【００３１】
＜取付け補強具の構成＞
次に、この天井下地構造や天井下地構造の施工過程及び施工後に使用される取付け補強具１は、図２、図５等に示されるように、第１本体部１１と、２つの第２本体部１２，１３と、２つの覆い部１４，１５と、垂下部１６，１７と、第１孔２０と、第２孔２１ａ，２１ｂ，２１ｃと、第３孔２２ａ，２２ｂ，２２ｃとを備えている部材である。
【００３２】
第１本体部１１は、ハンガー５の吊下げ部５１の保持部５５とは反対側の部位５１ａと向き合う平板状の部位である。この第１本体部１１は、ハンガー５の吊下げ部５１における吊り部５４の幅と野縁受け６の縦面部６１の高さとの各寸法とほぼ同じ縦横（幅及び高さ）の寸法からなる四角形の部位として形成されている。また、第１本体部１１は、野縁受け６の縦面部６１よりもハンガー５の吊り部５４の厚さ分だけ外側に配置することになるため、２つの覆い部１４，１５よりも外側に突出して存在するような形態になる。
【００３３】
２つの第２本体部１２，１３は、第１本体部１１の左右両側（座標軸Ｘの方向における両端部）に連続して設けられてハンガー５の吊下げ部５１の部位を挟んで両側に存在する野縁受け６の一部の縦面部６１にそれぞれ向き合う平板状の部位である。上記吊下げ部５１の部位は、例えば、吊下げ部５１における吊り部５４の下部になる。また、上記野縁受け６の一部は、例えば、図４ｂに例示するような所定の範囲の部分６ａ，６ｂになる。この第２本体部１２，１３は、第１本体部１１の左右両端から反対方向にそれぞれ連続して直線状に延びる長方形等の形状からなる部位としてそれぞれ形成されている。実施の形態１では、一方の第２本体部１３が、他方の第２本体部１２の寸法（Ｌ２：図１１（ａ）参照）よりも野縁受け６の長手方向に沿って延びる長い寸法（Ｌ３：図１１（ａ）参照）で形成されている。
【００３４】
２つの覆い部１４，１５は、２つの第２本体部１２，１３の上端に連続して設けられて野縁受け６の一部（６ａ，６ｂ）の上面部６２をそれぞれ覆う部位である。この覆い部１４，１５は、野縁受け６の一部における上記上面部６２の全域を覆い隠すことができる寸法に設定された長方形等の形状からなる部位としてそれぞれ形成されている。
また、一方の覆い部１４については、図２（ａ）等に示されるように、取付け補強具１の取り付け前には第２本体部１２と同一の平面をなすよう展開された状態で形成されており、また、図２（ｂ）に示されるように、取付け補強具１の取り付け時の途中で折り曲げて野縁受け６の一部の上面部６２と向き合う状態にして使用されるよう構成されている。
【００３５】
垂下部１６，１７は、２つの覆い部１４，１５の終端に連続して設けられて野縁受け６の一部のうち第２本体部１２，１３と向き合う上角部６５とは反対側に存在する他方の上角部６６にそれぞれ向き合う板状の部位である。ここで、野縁受け６の一部における上角部６５は縦面部６１の上端部が該当し、野縁受け６の一部における他方の上角部６６は上面部６２の終端部が該当する。
また、一方の垂下部１６については、覆い部１４の場合と同様に、図２（ａ）等に示されるように、取付け補強具１の取り付け前には第２本体部１２及び覆い部１４と同一の平面をなすよう展開された状態で形成されており、また、図２（ｂ）に示されるように、取付け補強具１の取り付け時の途中で折り曲げて野縁受け６の一部における他方の上角部６６と向き合う状態にして使用されるよう構成されている。
【００３６】
第１孔２０は、図５に示されるように、第１本体部１１に、その第１本体部１１を吊下げ部５１の部位（吊り部５４）及び野縁受け６の一部の縦面部６１に固定するネジ２５ａを通すよう設けられる貫通孔である。第２孔２１ａ，２１ｂ，２１ｃは、２つの第２本体部１２，１３に、その各第２本体部１２，１３を野縁受け６の一部の縦面部６１にそれぞれ固定するネジ２５ｂ，２５ｃ，２５ｄを通すよう設けられる貫通孔である。第３孔２２ａ，２２ｂ，２２ｃは、２つの覆い部１４，１５に、その各覆い部１４，１５を野縁受け６の一部の上面部６２にそれぞれ固定するネジ２５ｅ，２５ｆ，２５ｇを通すよう設けられる貫通孔である。ネジ２５ａ〜２５ｇとしては、通常、同じ種類のネジが使用されるが、状況等に応じて異なる種類のネジを組み合わせて使用するようにしても構わない。
【００３７】
そして、この取付け補強具１は、前述したように、その取り付け前には２つの覆い部１４，１５の一方の覆い部１４とその覆い部１４に連続する垂下部１６とが第２本体部１２と同一の平面をなすよう展開された状態で形成されている（図２（ａ））。また、その折り曲げて使用される覆い部１４と垂下部１６は、前述したように、取付け補強具１の取り付け時の途中で折り曲げて野縁受け６の一部の上面部６２とその他方の上角部６６とにそれぞ向き合う状態にして使用されるよう構成されている（図２（ｂ）、図５（ｂ））。
【００３８】
これにより、図３（ｂ）や図６に例示するように、吊りボルト４の下端４ａがハンガー５の吊下げ部５１の吊り部５４における少なくとも保持部５５に達する下方の位置にまで存在する状態になることにより、その吊りボルト４と吊下げ部５１の吊り部５４との間の間隔Ｅが当初より折り曲げた状態にある覆い部１５の短手方向の幅Ｗ１と同じ又はそれよりも狭い関係（Ｅ≦Ｗ１）にある場合でも、取付け補強具１の取付け作業を容易にかつ効率よく行うことができる。
すなわち、この状況下における取付け補強具１の取り付けに際しては、その覆い部１４と垂下部１６を先頭にして取付け補強具１をほぼ水平方向に移動させることにより、その覆い部１４と垂下部１６を第２本体部１２と共に、吊りボルト４とハンガー５の吊り部５４との間（隙間）を何ら支障なく容易に通過させることができる（図１）。この寸法関係（Ｅ≦Ｗ１）にある場合、仮に覆い部１４と垂下部１６が当初より折り曲げられた状態になっている取付け補強具を適用したときには、その折り曲げた状態にある覆い部１４（垂下部１６や第２本体部１２を含む）を上記隙間の部分を通過させることができない。このため、この取付け補強具１にあっては、その本体部１１をハンガー５の吊下げ部５１における吊り部５４と容易に向い合せた状態にすることもできるので、その取り付け作業を容易にかつ効率よく行うことが可能になる。
【００３９】
また、この取付け補強具１は、図２や図７等に示されるように、折り曲げて使用される覆い部１４と第２本体部１２との境になる第１境界部分２６に、覆い部１４を折り曲げるときの折り曲げ線Ｂ１を含む部位を折り曲げ線Ｂ１に沿って細長く切除したほぼ長方形状の第１長孔１８を設けている。これにより、折り曲げて使用される覆い部１４の折り曲げをほぼ折り曲げ線Ｂ１に沿うような状態で容易かつ正確に行うことが可能になる。
【００４０】
さらに、取付け補強具１は、図２や図７等に示されるように、折り曲げて使用される垂下部１６と覆い部１４との境になる第２境界部分２７に、垂下部１６を折り曲げるときの折り曲げ線Ｂ２を含む部位を折り曲げ線Ｂ２に沿って細長く切除したほぼ長方形状の第２長孔１９を設けている。これにより、折り曲げて使用される垂下部１６の折り曲げをほぼ折り曲げ線Ｂ２に沿うような状態で容易かつ正確に行うことが可能になる。
【００４１】
そして、この取付け補強具１においては、図８等に示されるように、第１長孔１８の長手方向の両端側に残される第１境界部分２６の幅Ｊ１，Ｊ２を、第２長孔１９の長手方向の両端側に残される第２境界部分２７の幅Ｊ３，Ｊ４よりも狭い寸法に設定している。つまり、幅Ｊ１，Ｊ２の双方は幅Ｊ３，Ｊ４の双方よりも狭い寸法になっている。この場合、幅Ｊ１，Ｊ２の双方と幅Ｊ３，Ｊ４の双方はいずれも（上記広狭関係を保持する）同じ寸法どうしに設定されるが、幅Ｊ１，Ｊ２どうしや幅Ｊ３，Ｊ４どうしが異なる寸法にそれぞれ設定されていても構わない。
【００４２】
これにより、図７に示されるように覆い部１４の矢印Ｃ１に示す方向に折り曲げる作業は、第１境界部分２６の幅Ｊ１，Ｊ２が第２境界部分２７の幅Ｊ３，Ｊ４よりも狭い分だけ容易に曲がりやすくなっているので、その覆い部１４における垂下部１６の矢印Ｃ２に示す方向に折り曲げる作業よりも先行して確実に行われるようになる。この場合、仮に、幅Ｊ１，Ｊ２の双方と幅Ｊ３，Ｊ４の双方が互いに同じ寸法であるか又は幅Ｊ１，Ｊ２の双方が幅Ｊ３，Ｊ４の双方よりも広い寸法に設定されている場合には、第１境界部分２６の曲げやすさ第２境界部分２７の曲げやすさが同じレベルか逆のレベル関係になるので、覆い部１４の折り曲げ作業を垂下部１６の折り曲げ作業よりも先に行うことが難しくなる。この結果、この取付け補強具１では、折り曲げて使用される覆い部１４及び垂下部１６を備えているにもかかわらず、その覆い部１４及び垂下部１６の折り曲げ作業を所望の手順で確実にできるので、取付け補強具１の取り付け作業を効率よく行うことができる。
【００４３】
また、この取付け補強具１においては、図８等に示されるように、覆い部１４の第１長孔１８と第２長孔１９との間に挟まれた部位のうち両長孔１８，１９の長手方向の中央になる部分２８を、両長孔の幅Ｗ２，Ｗ３を相対的に狭い幅Ｗ４，Ｗ５に設定し（Ｗ４＜Ｗ２，Ｗ５＜Ｗ３）、その占有面積を拡大させた拡大部位として形成しており、しかも、その拡大部位２８の中央部に第３孔２２ａを設けている。実施の形態１における拡大部位２８は、第１長孔１８と第２長孔１９の互いに接近する側の長辺を、その長手方向の中央になる部分で高いに離れる方向に曲線状に曲げた長辺にするか又は屈曲させた長辺として構成することにより形成している。
【００４４】
さらに、この取付け補強具１においては、図２や図９等に示されるように、一方の第２本体部１３を他方の第２本体部１２の寸法（Ｌ２）よりも野縁受け６の長手方向に沿って延びる長い寸法（Ｌ３）で形成した延長第２本体部３０として構成したうえで、その延長第２本体部３０の覆い部１５の上面を足場板２００が載せられる足場板乗せ部３１として構成している。延長第２本体部３０（覆い部１５を含む）は、少なくとも足場板乗せ部３１としての覆い部１５が足場板２００を載せることが可能な寸法（例えば足場板２００の幅よりも広い寸法）に設定されるが、野縁受け６を保持する隣り合う別のハンガー５に達する寸法よりも短い寸法に設定される。足場板２００としては、例えば、短辺方向の幅寸法が２４０ｍｍ等からなるものが使用可能であるが、特にこれに限定されない。
【００４５】
＜取付け補強具の取り付け方法＞
次に、以上の構成からなる取付け補強具１の天井下地構造への取り付けについて説明する。
【００４６】
最初に、取付け補強具１は、その取り付け前には図２（ａ）に示すように覆い部１４及び垂下部１６が展開された状態になっているため、その覆い部１４と垂下部１６を先頭にして取付け補強具１を、天井下地構造におけるハンガー５と野縁受け６とが交差する部分４０（図１、図４（ｂ））に向けてほぼ水平方向に移動させるよう取り扱うことで、その取り付け作業が開始される。この際、取付け補強具１は、その覆い部１４と垂下部１６を第２本体部１２と共に吊りボルト４とハンガー５の吊り部５４との間（隙間）を通過させた後、その本体部１１がハンガー５の吊下げ部５１の保持部５５とは反対側の部位５１ａと向き合う状態になった段階で、その移動操作を止める（図１、図５）。実際には、この移動操作は、覆い部１５の長手方向における本体部１１側の端部がハンガー５の吊り部５４に突き当たることで停止する。
【００４７】
これにより、取付け補強具１は、図５（ａ）に示されるように、その本体部１１がハンガー５の吊下げ部５１の保持部５５とは反対側の部位５１ａと向き合い、その第２本体部１２，１３が野縁受け６の縦面部６１と向き合い、その第２本体部１３における覆い部１５が野縁受け６の一部（６ｂ）の上面部６２を覆うよう向き合い、その覆い部１５における垂下部１７が野縁受け６の一部における他方の上角部６６に向き合う状態になる。
この段階では、取付け補強具１は、第２本体部１３の覆い部１５が野縁受け６の一部の上面部６２に乗った状態になるとともに、垂下部１７が野縁受け６の一部の他方の上角部６６に引っ掛かり得る状態になるので、野縁受け６の一部（６ｂ）に単に乗せられた状態におかれる（図１、図５（ａ））。また、この段階では、取付け補強具１における覆い部１４及び垂下部１６は、第２本体部１２と同一の平面をなすように展開された状態のままである。
【００４８】
続いて、取付け補強具１は、図５（ｂ）や図７（ｂ）に示されるように、覆い部１４を折り曲げ線Ｂ１にほぼ沿ってほぼ直角に折り曲げてほぼ水平な状態にした後、その覆い部１４の終端側にある垂下部１７を折り曲げ線Ｂ２にほぼ沿ってほぼ直角に折り曲げてほぼ重力方向に垂れ下がった状態にする。なお、垂下部１７は、必要に応じて、直角よりも更に大きい角度になるまで曲げて下端が第２本体部１２に接近した状態になるように扱ってもよい。
【００４９】
これにより、取付け補強具１は、図５（ｂ）や図９に示されるように、その第２本体部１２における覆い部１４が野縁受け６の一部（６ａ）の上面部６２を覆うよう向き合い、その覆い部１４における垂下部１６が野縁受け６の一部における他方の上角部６６に向き合う状態になる。この取り付けの途中の段階では、取付け補強具１は、第２本体部１２における覆い部１４が野縁受け６の一部の上面部６２に乗った状態になるとともに、垂下部１６が野縁受け６の一部の他方の上角部６６に引っ掛かり得る状態になるので、野縁受け６の一部（６ａ）にも乗せられた状態におかれる（図５（ｂ）、図９）。
【００５０】
最後に、取付け補強具１は、図５や図１０に例示するように、所要本数のネジ２５ａ〜２５ｇを用いてハンガー５の吊下げ部５１や野縁受け６の一部に対してネジ止めすることにより、固定された状態になる。
具体的には、取付け補強具１は、その第１本体部１１がネジ２５ａによりハンガー５の吊下げ部５１の部位（吊り部５４）及び野縁受け６の一部の縦面部６１に固定され、その第２本体部１２，１３がネジ２５ｂ，２５ｃ，２５ｄにより野縁受け６の一部の縦面部６１にそれぞれ固定され、その覆い部１４，１５が野縁受け６の一部の上面部６２にそれぞれ固定される。
【００５１】
以上の取り付け作業により、取付け補強具１は、図９に例示するように、天井下地構造におけるハンガー５と野縁受け６とが交差する部分４０を挟んだ状態で取り付けられる。
【００５２】
また、取付け補強具１は、この取り付けにより、図１０に示されるようにハンガー５及び野縁受け６の一部に対して以下の固定がなされる。
すなわち、本体部１１が、ハンガー５の吊下げ部５１の吊り部５４と野縁受け６の一部（交差する部分４０）の縦面部６１にネジ２５ａによるネジ止めにて一体的に固定される（図１０（ａ））。また、第２本体部１２が野縁受け６の一部（６ａ）の縦面部６１にネジ２５ｂによるネジ止めにて一体的に固定されるとともに、覆い部１４が野縁受け６の一部の上面部６２にネジ２５ｂｅよるネジ止めにて一体的に固定される（図１０（ｂ））。さらに、第２本体部１３（延長第２本体部３０）が野縁受け６の一部（６ｂ）の縦面部６１にネジ２５ｄによるネジ止めにて一体的に固定されるとともに、覆い部１５が野縁受け６の一部の上面部６２にネジ２５ｇよるネジ止めにて一体的に固定される（図１０（ｃ））。この他、このときの取付け補強具１は、垂下部１６，１７が野縁受け６の一部（６ａ，６ｂ）における他方の上角部６６にそれぞれ引っ掛かり得る状態におかれる。この結果、取付け補強具１は、ハンガー５の吊下げ部５１の一部を挟み込んだ状態でその吊下げ部５１の一部と野縁受け６とに強固に固定された状態になる。
【００５３】
＜取付け補強具を取り付けた天井下地構造の利用・効果＞
そして、この取付け補強具１を取り付けた天井下地構造は、図９に例示されるように、取付け補強具１における足場板乗せ部３１に所要の足場板２００を載せることにより、その足場板２００を利用した作業環境が形成されることになる。これにより、この天井下地構造においては、作業者が取付け補強具１の足場板乗せ部３１に乗せた足場板２００に自身の足等を載せた状態で必要な作業を行うことができる。この足場板２００を利用した作業とは、例えば、地震対策のための天井下地構造におけるパーツ補強作業、電気・設備のメンテナンス作業等の作業が挙げられる。このような作業では、足場板２００として例えば前述した幅寸法が２４０ｍｍの規格サイズのものが適用される。
【００５４】
また、この天井下地構造では、例えば地震や足場板２００を利用した作業等で発生する揺れ等により野縁受け６に対して、図９や図１０等に示すような方向に作用する不要な外力Ｆ１が加わることがあっても、取付け補強具１が取り付けられていることにより、ハンガー５の保持部５５の立上げ部５７が開くような状態に変形することが防止される。図９や図１０に示すような方向とは、同図に矢印Ｋで例示するように、野縁受け６がハンガー５の保持部５５の吊り部５４から離れるように倒されることになる方向である。
【００５５】
つまり、取付け補強具１は、その本体部１１及び第２本体部１２，１３が、ハンガー５の吊下げ部５１（吊り部５４）を跨った状態で配置されているとともにハンガー５の吊下げ部５１と野縁受け６の一部の縦面部６１に対してネジ２５ａ〜２５ｄにより固定されている。また、その覆い部１４，１５が野縁受け６の一部の上面部６２に対してネジ２５ｅ〜２５ｇにより固定されている。このため、取付け補強具１は、不要な外力Ｆ１を受けた際、その本体部１１がハンガー５の吊下げ部５１に突き当たることになるので、その外力Ｆ１の影響を受けにくい状態におかれる。
そして、この状態におかれる取付け補強具１は、その第２本体部１２，１３や覆い部１４，１５に対して野縁受け６がネジ止めにより固定されている。しかも、野縁受け６は、図１０（ｂ），（ｃ）に示すように、その一部（６ａ，６ｂ）における他方の上角部６６が取付け補強具１の垂下部１６，１７にそれぞれ引っ掛かり得る状態におかれる。
この結果、野縁受け６は、ハンガー５の保持部５５の吊り部５４から離れるように倒されるよう変動することが取付け補強具１によって阻止される。したがって、ハンガー５は、その保持部５５の立上げ部５７が野縁受け６の倒れる方向Ｋへの外力を受けることがなくなるので、その保持部５５の立上げ部５７が開くような状態に変形することが防止されることになる。
【００５６】
また、このようなハンガー５の保持部５５の立上げ部５７が開くような状態に変形することを防止する取付け補強具１は、前述したように第１本体部１１と、２つの第２本体部１２，１３と、２つの覆い部１４，１５と、垂下部１６，１７と、第１孔２０と、第２孔２１ａ，２１ｂ，２１ｃと、第３孔２２ａ，２２ｂ，２２ｃとを基本的に備えたものであり、例えば製作が複雑になるような構造部分を含まない簡易な構造の補強具である。
【００５７】
この他、この取付け補強具１は、その取り付けるべき天井下地構造が前述したように吊りボルト４と吊下げ部５１の吊り部５４との間の間隔Ｅが折り曲げ済みの覆い部１５の幅Ｗ１と同じ又はそれよりも狭い寸法関係（Ｅ≦Ｗ１）にある場合でも、その取り付ける前には一方の覆い部１４とその垂下部１６を一方の第２本体部１２と同じ平面をなすような展開した状態にしているため、前述したとおり、その取付け補強具１の取付け作業を容易にかつ効率よく行うことができる。
【００５８】
しかもこの場合、取付け補強具１は、図７等に示すように、折り曲げて使用する覆い部１４と垂下部１６の折り曲げを行う部分（境界部分２６，２７）に第１長孔１８及び第２長孔１９を設けているため、前述したとおり、覆い部１４の折り曲げと垂下部１６の折り曲げを容易かつ正確に行うことができる。
また、取付け補強具１は、図８等に示すように、第１長孔１８の両端側に残される第１境界部分２６の幅Ｊ１，Ｊ２を第２長孔１９の両端側に残される第２境界部分２７の幅Ｊ３，Ｊ４よりも狭い寸法に設定しているため、前述したとおり、覆い部１４の折り曲げ作業を垂下部１６の折り曲げ作業よりも先に確実に行うことができ、これにより取付け補強具１の取り付け作業の効率化が図れる。
さらに、取付け補強具１は、図８等に示すように、第１長孔１８と第２長孔１９との間に拡張部分２８を形成して拡張部分２８の中央部に第３孔２２ａを設けているため、その覆い部１４と野縁受け６の一部（６ａ）の上面部６２との間をネジ２５ｅによりネジ止めした場合でも、ネジ２５ｅの締め付けによる負荷により拡張部分２８が変形することもなく、そのネジによる固定の強度を確保することができる。
【００５９】
さらに、取付け補強具１を取り付けた天井下地構造においては、足場板２００を利用した作業を終了した後に足場板２００が取り外される。
なお、取付け補強具１は、天井下地構造におけるハンガー５と野縁受け６とが交差する複数の部分４０の全部に取り付けてもよいが、必要となる交差する部分４０のみに限定して取り付ければよい。限定して取り付ける場合は、例えば、足場板２００を載せる必要がある領域に存在する交差する部分４０のみに取り付ければよい。
【００６０】
また、この天井下地構造においては、通常、足場板２００を取り外した後は、取付け補強具１も取り外される。
この取付け補強具１の取り外し作業は、前記した取り付け作業の工程を逆に実施することで行うことができる。つまり、取り外し作業は、例えば、ネジ２５ａ〜２５ｇを取り外した後に、覆い部１４及び垂下部１６を第２本体部１２と同一の平面状になるよう曲げて戻した状態にし、最後に、取付け補強具１をハンガー５と野縁受け６とが交差する部分４０から抜き出することで取り外すことで行われる。
【００６１】
一方、この天井下地構造においては、必要に応じては、足場板２００を取り外した後も、取付け補強具１を取り外さず、取り付けた状態のままにしておくことも可能である。
この場合は、その後において地震等が発生して天井下地構造の野縁受け６に不要な外力Ｆ１が加わることがあっても、取付け補強具１の存在により、ハンガー５の保持部５５の立上げ部５７が開くような状態に変形することが防止されることになり、これにより野縁受け６の落下等の発生を防止することができる。また、その後において、足場板２００を利用した作業が急きょ必要になったときでも、取付け補強具１における足場板乗せ部３１に足場板２００を載せて迅速に作業を開始することが可能になる。
【００６２】
［実施の形態２］
図１１は、実施の形態２に係る取付け補強具１０を示すものである。
この取付け補強具１０は、一方の第２本体部１３´の長手方向における幅（長さ）Ｌ１を、実施の形態１における延長第２本体部３０の幅（Ｌ３）よりも短い寸法に変更した以外は実施の形態１に係る取付け補強具１と同じ構成からなるものである。
【００６３】
この第２本体部１３´の幅Ｌ１は、例えば足場板２００（図９）を載せることができない程度の狭い寸法である。また、取付け補強具１０は、その第２本体部１３´の幅Ｌ１が短くなることに伴い、その覆い部１５´や垂下部１７´も、その幅が第２本体部１３の幅Ｌ１と対応して短い寸法になる。このため、取付け補強具１０は、実施の形態１に係る取付け補強具１に比べて、より一層簡易な構造のものになる。また、この幅が短くなった第２本体部１３´及び覆い部１５´に設けるネジを通す第２孔２１及び第３孔２２の数は、２個から１個に減らしても差し支えない。
【００６４】
ちなみに、第２本体部１３の幅Ｌ１については、他方の第２本体部１２の幅Ｌ２と同じ寸法に設定したり、あるいは、その幅Ｌ２と異なる寸法に設定することができる。また、第２本体部１３の幅Ｌ１については、例えば、隣り合う２つのハンガー５に保持される野縁受け６との交差する部分４０に取付け補強具１０をそれぞれ取り付ける場合、その２つのハンガー５の間に足場板２００を設置することに対応するため、その足場板２００の片側の端部を載せることができる寸法に設定することも可能である。
【００６５】
そして、この取付け補強具１０は、その第２本体部１３の覆い部１５を足場板乗せ部３１として構成することができないものの、実施の形態１に係る取付け補強具１の場合と同様に、天井下地構造におけるハンガー５と野縁受け６とが交差する部分４０を挟んだ状態で取り付けることができる（図９などを参照）。
この取付け補強具１０を取り付けた天井下地構造にあっては、例えば地震で発生する揺れ等により野縁受け６に対して不要な外力Ｆ１（図９、図１０参照）が加わることがあっても、その取付け補強具１０が取り付けられていることにより、ハンガー５の保持部５５の立上げ部５７が開くような状態に変形することが防止される。
【００６６】
また、この取付け補強具１０は、天井下地構造におけるハンガー５と野縁受け６とが交差する部分４０に対して、実施の形態１に係る取付け補強具１の場合と同様に、容易に取り付けることができる。しかも、この取付け補強具１０は、取り外す必要がなく、天井下地構造を構成する一部品として取り付けた状態のままにして使用することができる。
【００６７】
［他の実施の形態］
実施の形態１，２では、取付け補強具１，１０として垂下部１６，１７、１７´を設ける構成例を示したが、取付け補強具１，１０としては、垂下部１６，１７、１７´を設けない構成を採用してもよい。
垂下部１６，１７、１７´を設けない取付け補強具１，１０の場合は、例えば、第２本体部１２，１３、１３´及び覆い部１４，１５、１５´に設けるネジを通す第２孔２１や第３孔２２の数を増やす構成を採用してもよい。
【００６８】
また、実施の形態１，２では、取付け補強具１，１０として、その取り付け時の途中で一方の覆い部１４及び垂下部１６を折り曲げて使用するよう形成した構成例を示したが、取付け補強具１，１０としては、一方の覆い部１４及び垂下部１６についても覆い部１５，１５´及び垂下部１７，１７´の場合と同様に当初から曲げた形状で形成した構成を採用してもよい。
この構成を採用した取付け補強具１，１０は、吊りボルト４とハンガー５の吊下げ部５１の吊り部５４と間隔Ｅ（図３）が当初より折り曲げた状態にした覆い部１４の短手方向の幅（Ｗ１）よりも広い関係（Ｅ＞Ｗ１）にある場合や、吊りボルト４の下端部４ａ（図３）がハンガー５の保持部５５（立上げ部５７の上端）に達しない位置で止まることになる場合などに、使用することができる。また、この構成を採用した取付け補強具１，１０を適用した場合は、その取り付け作業において覆い部１４及び垂下部１６を折り曲げる作業工程が不要となり、その取り付け作業の簡略化が図れる。
【００６９】
また、実施の形態１，２では、取付け補強具１，１０として、折り曲げて使用する覆い部１４及び垂下部１６の折り曲げ作業の容易化などの観点から第１長孔１８及び第２長孔１９を設ける構成例を示したが、その折り曲げ作業が比較的容易にできる等の条件が満たされる場合には、その第１長孔１８及び第２長孔１９の一方又は双方を設けなくても構わない。さらに、実施の形態１，２では、取付け補強具１，１０について鋼板を用いて製作する場合（金具として製作する場合）を例示したが、取付け補強具１，１０については、その全体の強度を確保することが可能であれば、他の材料（例えば合成樹脂、複合材料）を用いて製作してもよい。
【符号の説明】
【００７０】
１，１０…取付け補強具
４  …吊りボルト
５  …ハンガー
６  …野縁受け
６ａ，６ｂ…野縁受けの一部
１１…本体部
１２…第２本体部
１３…第２本体部（延長第２本体部）
１３´…第２本体部
１４…覆い部（折り曲げて使用される覆い部）
１５…覆い部（足場板乗せ部）
１５´…覆い部
１６…垂下部（折り曲げて使用される垂下部）
１７、１７´…垂下部
１８…第１長孔
１９…第２長孔
２０…第１孔
２１ａ，２１ｂ，２１ｃ…第２孔
２２ａ，２２ｂ，２２ｃ…第３孔
２６…第１境界部分
２７…第２境界部分
２８…拡大部位
３０…延長第２本体部
３１…足場板乗せ部
４０…交差する部分
２００…足場板
Ｊ１，Ｊ２…第１長孔の両端側に残される第１境界部分の幅
Ｊ３，Ｊ４…第２長孔の両端側に残される第２境界部分の幅
Ｗ２…第１長孔の幅
Ｗ３…第２長孔の幅
【図１】
2017110372.tif 000003
【図２】
2017110372.tif 000004
【図３】
2017110372.tif 000005
【図４】
2017110372.tif 000006
【図５】
2017110372.tif 000007
【図６】
2017110372.tif 000008
【図７】
2017110372.tif 000009
【図８】
2017110372.tif 000010
【図９】
2017110372.tif 000011
【図１０】
2017110372.tif 000012
【図１１】
2017110372.tif 000013
【図１２】
2017110372.tif 000014
【図１３】
2017110372.tif 000015